(57)【要約】【課題】  画像読み取り時にクロストークの影響を低減できる画像読取装置および画像形成装置を提供する。【解決手段】  列状に並べられた複数のリニアイメージセンサ２１からの画像信号がフレキシブルフラットケーブル３９の信号線にそれぞれ出力される画像読取装置において、隣り合うブロックからの画像信号の信号線がフレキシブルフラットケーブル３９において隣り合わないように割り当てられることを特徴とする画像読取装置およびこの画像読取装置を備えた画像形成装置として提供可能である。【選択図】        図７
2007013528.tif 000002
【特許請求の範囲】
【請求項１】
複数のブロックに分割されたリニアイメージセンサからの画像信号が前記ブロック毎にフレキシブルフラットケーブルの信号線にそれぞれ出力される画像読取装置において、
隣り合う前記ブロックの前記信号線が、前記フレキシブルフラットケーブルにおいて隣り合わないように割り当てられることを特徴とする画像読取装置。
【請求項２】
列状に並べられた右側，中央および左側のリニアイメージセンサからの画像信号がフレキシブルフラットケーブルの信号線にそれぞれ出力される画像読取装置において、
前記右側のリニアイメージセンサからの画像信号，前記左側のリニアイメージセンサからの画像信号，および前記中央のリニアイメージセンサからの画像信号の順で前記フレキシブルフラットケーブルの信号線を順次割り当てて出力することを特徴とする画像読取装置。
【請求項３】
Ａ３サイズの画像を読み取るために列状に並べられた右側，中央および左側のリニアイメージセンサからの画像信号がフレキシブルフラットケーブルの信号線にそれぞれ出力される画像読取装置において、
前記右側のリニアイメージセンサからの画像信号，前記左側のリニアイメージセンサからの画像信号，および前記中央のリニアイメージセンサからの画像信号の順で前記フレキシブルフラットケーブルの信号線を順次割り当てて出力し、Ａ４サイズの画像を読み取る際のクロストークを解消することを特徴とする画像読取装置。
【請求項４】
前記リニアイメージセンサは、３つのブロックに分割されており、そのうちの隣り合う２つのブロックでＡ４サイズの画像を読み取る請求項１乃至３のいずれか１項に記載の画像読取装置。
【請求項５】
前記リニアイメージセンサからの画像信号はアナログ信号である請求項１乃至４のいずれか１項に記載の画像読取装置。
【請求項６】
請求項１乃至５に記載の画像読取装置を備えた画像形成装置。
【発明の詳細な説明】
【技術分野】
【０００１】
本発明は、一次元配列の受光素子を搭載したイメージセンサを用いて、原稿の画像を電子データとして読み取る、スキャナ、ＦＡＸ、コピー機およびこれらの複合機などの画像読取装置および画像形成装置に関するものである。
【背景技術】
【０００２】
従来、一次元配列の受光素子を搭載したイメージセンサを用いて、原稿の画像を電子データとして読み取る、スキャナ、ＦＡＸ、コピー機およびこれらの複合機などの画像読取装置および画像形成装置が知られている。
【０００３】
画像読取装置の一例としては、光電変換素子としての複数の受光素子が造り込まれた複数のセンサＩＣチップを列状に並べたものがある。各センサＩＣチップは、光源により照明された原稿からの反射光が複数の受光素子によって受光されると、それらの受光量に対応したレベルの画像信号をシリアルのアナログ信号として出力するように構成されている。
【０００４】
また、複数のセンサＩＣチップの数が３の自然数倍とされ、これら複数のセンサＩＣチップが３の自然数倍のブロックに分けられ、かつそれらのブロックごとに画像信号が出力されるように構成されることで、画像の読み取り処理の高速化を図ることができるとともに、画像信号の処理に用いられる機器の低コスト化などをも図ることが可能な画像読取装置が考案されている（特許文献１参照）。
【０００５】
【特許文献１】特開２００３−２９８８１３号公報
【発明の開示】
【発明が解決しようとする課題】
【０００６】
特許文献１の例では、図８のように、画像信号は、センサＩＣチップのブロックＢ１〜Ｂ３ごとにケーブルあるいは配線パターンＣ１〜Ｃ３，コネクタ１８を介してフレキシブルフラットケーブル３９によって例えばゲートアレイ３３のような外部回路へ出力される。
【０００７】
図８の構成では、画像を読み取る際にセンサＩＣチップが含まれる読取部１３が所定の走査方向へ動くため、フレキシブルフラットケーブル３９は読取部１３の可動距離を吸収するため、１ｍを超える長さを有するものもある。このため、センサＩＣチップのブロックＢ１，Ｂ２によってＡ４横長サイズの用紙の画像を読み取ってコピーを行なった場合、隣り合うケーブルあるいは配線パターンＣ１，Ｃ２の間において、浮遊容量，寄生容量，アースの共通インピーダンスなどの影響により、不必要な信号が漏れるクロストークによって、本来ブロックＢ２が読み取った画像データ（実線で表示された部分）がケーブルあるいは配線パターンＣ２からＣ１に漏れ、ブロックＢ１でも読み取られたようにコピー結果（破線で表示された部分）に重畳されて表れてしまう問題点がある。
【０００８】
また、フレキシブルフラットケーブル３９をシールド線で覆う方法もあるが、シールド線は柔軟性があまりなく重量も増加するため、可動部分であるフレキシブルフラットケーブル３９としての動きを制約してしまう。また、シールド線は高価であるため、画像読取装置のコストを上昇させてしまう。
【０００９】
上記問題を背景として、本発明の課題は、画像読み取り時にクロストークの影響を低減できる画像読取装置および画像形成装置を提供することにある。
【課題を解決するための手段および発明の効果】
【００１０】
本発明は、上記課題を解決するための画像読取装置を提供するものである。即ち、請求項１によれば、複数のブロックに分割されたリニアイメージセンサからの画像信号がブロック毎にフレキシブルフラットケーブルの信号線にそれぞれ出力される画像読取装置において、隣り合うブロックの信号線が、フレキシブルフラットケーブルにおいて隣り合わないように割り当てられることを特徴とする画像読取装置として構成される。
【００１１】
上記構成によって、読み取った画像データが隣り合うケーブルあるいは配線パターンの間のクロストークによって、隣り合うリニアイメージセンサの画像読み取り結果に重畳されて表れる現象は発生しなくなる。また、シールド線を用いる必要もないので、重量も増加せずフレキシブルフラットケーブルとしての動きを制約されることはないしコストも上昇しない。
【００１２】
また、請求項２によれば、上記課題を解決するための画像読取装置は、列状に並べられた右側，中央および左側のリニアイメージセンサからの画像信号がフレキシブルフラットケーブルの信号線にそれぞれ出力される画像読取装置において、右側のリニアイメージセンサからの画像信号，左側のリニアイメージセンサからの画像信号，および中央のリニアイメージセンサからの画像信号の順でフレキシブルフラットケーブルの信号線を順次割り当てて出力することを特徴とする画像読取装置として構成される。
【００１３】
上記構成によって、読み取った画像データが右側と中央、あるいは中央と左側のリニアイメージセンサに接続されたケーブルあるいは配線パターンの間のクロストークによって、隣り合うリニアイメージセンサの画像読み取り結果に重畳されて表れる現象は発生しなくなる。また、シールド線を用いる必要もないので、重量も増加せずフレキシブルフラットケーブルとしての動きを制約されることはないしコストも上昇しない。
【００１４】
また、請求項３によれば、上記課題を解決するための画像読取装置は、Ａ３サイズの画像を読み取るために列状に並べられた右側，中央および左側のリニアイメージセンサからの画像信号がフレキシブルフラットケーブルの信号線にそれぞれ出力される画像読取装置において、右側のリニアイメージセンサからの画像信号，左側のリニアイメージセンサからの画像信号，および中央のリニアイメージセンサからの画像信号の順でフレキシブルフラットケーブルの信号線を順次割り当てて出力し、Ａ４サイズの画像を読み取る際のクロストークを解消することを特徴とする画像読取装置として構成される。
【００１５】
上記構成によって、例えばＡ４サイズの画像を読み取る場合には右側と中央のリニアイメージセンサを使用する場合、フレキシブルフラットケーブルの信号線は隣り合わないためクロストークは発生しない。また、シールド線を用いる必要もないので、重量も増加せずフレキシブルフラットケーブルとしての動きを制約されることはないしコストも上昇しない。
【００１６】
請求項４によれば、本発明の画像読取装置におけるリニアイメージセンサは、３つのブロックに分割されており、そのうちの２つのブロックでＡ４サイズの画像を読み取る構成をとることができる。
【００１７】
上記構成によって、隣り合う２つのブロックを用いてＡ４サイズの画像を読み取る場合、フレキシブルフラットケーブルにおける画像信号を出力する信号線は隣り合わないためクロストークは発生せず、隣り合うリニアイメージセンサの画像読み取り結果に重畳されて表れる現象は発生しなくなる。
【００１８】
請求項５によれば、リニアイメージセンサからの画像信号はアナログ信号である構成をとることができる。
【００１９】
リニアイメージセンサで読み取られたアナログ信号をデジタル信号に変換してフレキシブルフラットケーブルへ出力すれば、クロストークが発生してもその影響を除去することができる。しかし、この構成ではリニアイメージセンサ近傍にアナログ・デジタル変換回路を配置する必要があり、リニアイメージセンサ周辺の回路構成が複雑になるとともにリニアイメージセンサ部の小型軽量化の妨げとなる。また、画像読取装置の制御部にはアナログ・デジタル変換回路が含まれていることが多いので、リニアイメージセンサ近傍にアナログ・デジタル変換回路を配置することは製造コストの上昇を招く。しかし、本発明の構成によって、アナログ信号でもクロストークが発生することなくリニアイメージセンサ部から画像読取装置の制御部に画像信号を送ることが可能となる。そして、リニアイメージセンサ近傍にアナログ・デジタル変換回路を配置する必要もないので製造コストは上昇しない。
【００２０】
請求項６によれば、上記課題を解決するための画像形成装置は、請求項１乃至５に記載の画像読取装置を備えた画像形成装置として構成される。
【００２１】
上記構成によって、コピー機やプリンタ等の読み取った画像を出力する画像形成装置において、クロストークによって、隣り合うリニアイメージセンサの画像読み取り結果に重畳されて出力される現象は発生しなくなる。また、シールド線を用いる必要もないので、重量も増加せずフレキシブルフラットケーブルとしての動きを制約されることはないしコストも上昇しない。また、規模の大きな画像形成装置ではフレキシブルフラットケーブルも長くなり、クロストークが発生しやすくなるが、本発明の構成によってフレキシブルフラットケーブルの長さによらず、クロストークの発生を低減することが可能となる。
【発明を実施するための最良の形態】
【００２２】
クロストークの影響を低減できる画像読取装置および画像形成装置を提供するという目的を、隣り合うブロックの信号線が、フレキシブルフラットケーブルにおいて隣り合わないように割り当てられる構成により実現した。
【実施例】
【００２３】
以下、本発明の画像読取装置および画像形成装置の実施の形態を、スキャナ機能とファクス機能とを備えた複合機を例に挙げて説明する。なお、本発明の画像読取装置および画像形成装置の適用範囲を複合機に限定するものではなく、スキャナ、ＦＡＸ、コピー機、プリンタ等に適用してもよい。
【００２４】
図１は、本発明の実施の形態の一例である複合機１の概観図，図２は、その断面図である。複合機１は、ＡＤＦ（オートドキュメントフィーダ）原稿セットトレイ３，原稿ガイド５，紙送りローラ７，ＡＤＦ原稿排紙トレイ９，コンタクトガラス１１と、読取部１３と光源１５とからなるＡＤＦ読み取り機構を備えている。また、これに加えて、ＦＢ押さえ板１７とガラス製のＦＢ原稿台１９と、前述の読取部１３および光源１５とを含むＦＢ（フラットベッド）読み取り機構をも備えている。
【００２５】
ＡＤＦ読み取り機構によって画像を読み取る場合は、図２（ａ）に示すように、ＡＤＦ原稿セットトレイ３上に原稿Ａをセットして読み取り開始を指令することにより、紙送りローラ７が回転して原稿Ａをコンタクトガラス１１上を通過させる。すると、コンタクトガラス１１の直下にある読取部１３が、コンタクトガラス１１を介して原稿Ａの画像を読み取る。これに対し、ＦＢ読み取り機構によって画像を読み取る場合は、図２（ｂ）に示すように、ＦＢ原稿台１９の上に原稿Ｂを置き、ＦＢ押さえ板１７で原稿ＢをＦＢ原稿台１９に押し当てた状態として読み取り開始を指令することにより、読取部１３および光源１５が図示矢印のように移動しつつ、原稿Ｂの画像の読み取りを実行する。
【００２６】
図３に示すように、複合機１の本体内部に含まれるメインボード２８は、ＣＰＵ３０，ＲＡＭ３１，ＲＯＭ３２，ゲートアレイ３３，ＮＣＵ（Network  Control  Unit：網制御装置）３４，モデム３５，ＥＥＰＲＯＭ３６，コーデック３７，ＤＭＡＣ（Direct  Memory  Access  Controller）３８などを含んで構成されている。
【００２７】
ＣＰＵ３０，ＲＡＭ３１，ＲＯＭ３２，ゲートアレイ３３，ＮＣＵ３４，モデム３５，ＥＥＰＲＯＭ３６，コーデック３７，およびＤＭＡＣ３８は、バスライン２６により相互に接続されている。バスライン２６には、アドレスバス、データバス、および制御信号線が含まれる。ゲートアレイ３３には、読取部１３，記録部２２，操作部２３，表示部２４，および外部接続部２５が接続されている。ＮＣＵ３４には、公衆電話回線２７が接続されている。
【００２８】
ＣＰＵ３０は、複合機１の全体の動作を制御する。ＮＣＵ３４は公衆電話回線２７に接続されて回線の接続／切断等の網制御を行なう。ＲＡＭ３１はＣＰＵ３０の作業領域や読み取った画像の展開領域などのためにラインバッファメモリとして用いられる。モデム３５は、ファクシミリデータの変調や復調などを行なう。ＲＯＭ３２はＣＰＵ３０が実行するプログラムや設定値などのデータを記憶している。ＥＥＰＲＯＭ３６は各種のフラグや設定情報などを記憶する。ゲートアレイ３３はＣＰＵ３０と読取部１３等の各部との入出力インターフェースとして機能する。コーデック３７はファクシミリデータの符号化や復号化を行なう。ＤＭＡＣ３８は、主にＲＡＭ３１へのデータの書き込みや読み出しを行なう。
【００２９】
記録部２２は本発明の画像形成装置に相当するレーザプリンタなどを含み記録紙に対して画像を記録する機能を備える。操作部２３は、使用者により押下された操作ボタンに対応して操作信号をＣＰＵ３０に伝えるためのものである。表示部２４は、ＬＣＤ（Liquid  Crystal  Display：液晶表示ディスプレイ）などを備えており、複合機１の動作状態などを表示する。外部接続部２５は、複合機１に対してパーソナルコンピュータなどの外部機器を接続する際に用いられる。
【００３０】
読取部１３は、リニアイメージセンサ２１に含まれるセンサＩＣチップ２や光源１５として発光色がそれぞれ赤、緑、青の３種類の光源１５Ｒ，１５Ｇ、１５Ｂなどを備えており、原稿などの入力シートから画像を読み取る機能を備える。光源１５Ｒ，１５Ｇ、１５Ｂは、主走査方向（図２の紙面と直交する方向）に一定間隔を隔てて列状に並ぶようにして基板１４の表面に実装されている。各光源から発せられた光は原稿の表面で反射し、その反射光がセンサＩＣチップ２の受光素子２０により受光される。
【００３１】
図４，図５を用いてリニアイメージセンサ２１の詳細について説明する。図５のように、センサＩＣチップ２は、例えば１，７２８個のような所定個数の受光素子２０を構成する周知のフォトトランジスタＰＴ１〜ＰＴｎを備えている。これらのフォトトランジスタＰＴ１〜ＰＴｎは、光を受けると、その受光量に対応した電荷を蓄える。このセンサＩＣチップ２自体の基本的な回路構成は、従来のものと同様である。また、複数のセンサＩＣチップ２は、複数の受光素子２０の列方向に並ぶようにして基板１４の表面に実装されている。本実施形態の複合機１は、Ａ３サイズの原稿の読み取りに対応可能なものとして構成されている。
【００３２】
また、図４のように、６つのセンサＩＣチップ２（２ａ〜２ｆ）は、その列の一端から他端に向かう一定の順序で２つのセンサＩＣチップ２を１ブロック単位とする、計３つのブロックＢ１（ＩＣチップ２ａ，２ｂ）〜Ｂ３（ＩＣチップ２ｅ，２ｆ）に分けられている。基板１４の表面には、図７に示すような配線パターンＣ１〜Ｃ３が形成されている。この配線パターンの一端は、基板１４の一側縁部に設けられたコネクタ１８に繋がっており、基板１４の外部から複数のセンサＩＣチップ２への電力供給や各種の信号の入出力などは、このコネクタ１８に接続されたフレキシブルフラットケーブル３９を介して行なわれるようになっている。また、フレキシブルフラットケーブル３９は読取部１３の可動距離を吸収するための長さを有していて、他の一端はメインボード２８に接続されている。なお、配線パターンＣ１〜Ｃ３は互いにクロストークを発生しないような位置あるいは形状で基板１４上に形成されている。
【００３３】
フレキシブルフラットケーブル３９は、周知のもので、平板型の導体を複数本並べて例えばポリエステルテープで被覆した、薄型のテープ形状の電線である。
【００３４】
なお、ブロック数および１ブロック単位あたりのセンサＩＣチップの個数には特に制約はなく、複合機１において読み取り可能な用紙の大きさや読み取り解像度によって決められる。また、読み取り可能な用紙の大きさをＡ３サイズあるいはＡ４サイズに限定するものではない。
【００３５】
ブロックＢ１〜Ｂ３のうち、Ａ４サイズの原稿の読み取りを行なう際にはブロックＢ１，Ｂ２の２つを使用し、Ａ３サイズの原稿の読み取りを行なう際にはブロックＢ１〜Ｂ３の全てを使用する。
【００３６】
図７のように、配線パターンＣ１〜Ｃ３は、隣り合うブロックＢ１，Ｂ２すなわち配線パターンＣ１とＣ２の間でクロストークを発生しないように、すなわち配線パターンＣ１とＣ２との接続先がフレキシブルフラットケーブル３９で「隣接しないように」配線パターンＣ３が配線パターンＣ１とＣ２との間を通る。また、配線パターンの代わりにケーブルを用いてもよい。また、コネクタ１８を介さず、フレキシブルフラットケーブル３９を基板１４上に直付けしてもよい。
【００３７】
図６のように、ゲートアレイ３３は、ＣＰＵ３０の統括的な制御の下に、リニアイメージセンサ２１に対してスタートパルスＳＰおよびクロック信号ＣＬＫ等を供給するＣＩＳ制御ブロック４３、サンプルホールド回路（Ｓ／Ｈ）４０，マルチプレクサ４１，およびアナログ・デジタル変換器（Ａ／Ｄ）４２によって構成されるアナログフロントエンド（ＡＦＥ）回路、そのＡＦＥ回路に各種制御信号を送るアナログフロントエンド（ＡＦＥ）制御ブロック４４、アナログ・デジタル変換器４２から出力されたデジタル信号をサンプリングして、ＲＡＭ３１に含まれる画像メモリの所定領域に順次書き込むメモリ制御ブロック４５などが設けられている。なお、ＣＩＳは密着型イメージセンサ（Contact  Image  Sensor）の略称で、リニアイメージセンサ２１の別称でもある。
【００３８】
ＡＦＥ制御ブロック４４は、サンプルホールド回路４０に対してはサンプル／ホールドのタイミングを決定するクロック信号Ｓ／Ｈ  ＣＬＫを送り、マルチプレクサ４１に対してはリニアイメージセンサ２１から出力される３チャネルの出力信号ＣＨ１〜ＣＨ３のいずれかの信号を送り、アナログ・デジタル変換器４２に入力させるかを選択するための選択信号ＳＥＬ１，ＳＥＬ２と、アナログ・デジタル変換器４２に対してはアナログ・デジタル変換のタイミングを決定するクロック信号Ａ／Ｄ  ＣＬＫを送る。
【００３９】
スタートパルスＳＰは、３つのブロックＢ１〜Ｂ３のそれぞれの左に位置する計３つのセンサＩＣチップ２（２ａ，２ｃ，２ｅ）に分かれて入力されるようになっている。図５に示すように、例えばブロックＢ１の右のセンサＩＣチップ２（２ｂ）は、左のセンサＩＣチップ２（２ａ）の端子Ｐ４からシリアルアウト信号ＳＯが出力され、かつこれがスタートパルスＳＰとして入力されることによりその駆動を開始するようになっている。他のブロックＢ２，Ｂ３のセンサＩＣチップ２も同様な構成になっており、３つのブロックＢ１〜Ｂ３のいずれにおいても左のセンサＩＣチップ２（２ａ，２ｃ，２ｅ）の駆動を終えた後に、右のセンサＩＣチップ２（２ｂ，２ｄ，２ｆ）が駆動を開始するようになっている。ゲートアレイ３３から送出されるクロック信号ＣＬＫは、６つのセンサＩＣチップ２（２ａ〜２ｆ）のそれぞれに分かれて入力されるようになっている。
【００４０】
使用者の操作部２３の操作に基づいて原稿の読み取り動作が開始されると、ゲートアレイ３３から出力されるスタートパルスＳＰが端子Ｐ１に入力され、シフトレジスタ２９は、端子Ｐ２に入力されるクロック信号ＣＬＫに基づいて複数のＦＥＴ１〜ＦＥＴｎを一定の方向に順次オン状態としていく。すると、複数のフォトトランジスタＰＴ１〜ＰＴｎに蓄えられていた電荷は一定の順序で放出されていき、増幅器Ｏｐによって増幅されてから端子Ｐ３から画像信号ＡＯとしてシリアル信号として出力される。この画像信号ＡＯは、アナログ信号である。センサＩＣチップ２は、最終のフォトトランジスタＰＴｎから画像信号が出力された時点でシリアルアウト信号ＳＯを出力する端子Ｐ４も備えている。その他、センサＩＣチップ２は、このセンサＩＣチップ２内の各部を動作させるのに必要な駆動電力を供給するための電圧ＶＤＤ印加用端子Ｐ５や、グランドＧＮＤ接続用の端子Ｐ６も備えている。
【００４１】
例えば、ブロックＢ１では、スタートパルスＳＰがセンサＩＣチップ２ａの端子Ｐ１に入力されると、クロック信号ＣＬＫに基づいて端子Ｐ３から画像信号ＡＯが出力端子ＣＨ１から出力される。クロック信号ＣＬＫによってＦＥＴｎがオン状態となった後、すなわちセンサＩＣチップ２ａが画像信号ＡＯの出力を終了した後に、シリアルアウト信号ＳＯが出力され、センサＩＣチップ２ｂのスタートパルスＳＰとして入力される。そして、センサＩＣチップ２ｂからの画像信号が出力端子ＣＨ１から出力される。
【００４２】
図６において、リニアイメージセンサ２１の３個のブロックＢ１〜Ｂ３の各出力端子ＣＨ１〜ＣＨ３から出力されるアナログの各読み取り信号は、フレキシブルフラットケーブル３９を経由してゲートアレイ３３のＡＦＥ回路に送られ、サンプルホールド回路４０において各画像信号が所定の出力レベルに安定するまで一時保存される。その後、ＡＦＥ制御ブロック４４の指令に基づいて順次アナログ・デジタル変換が行なわれる。
【００４３】
フレキシブルフラットケーブル３９において画像信号の出力がＣＨ１，ＣＨ３，ＣＨ２の順となっているため、サンプルホールド回路４０とマルチプレクサ４１との間では、これを元のＣＨ１，ＣＨ２，ＣＨ３の順とするためにマルチプレクサ４１の２番目の入力４１２にＣＨ２，３番目の入力４１３にＣＨ３が入力されるようになっている。これによって、選択信号ＳＥＬ１，ＳＥＬ２が例えばマルチプレクサ４１の入力を４１１，４１２，４１３の順に指定すると、アナログ・デジタル変換器４２にはＣＨ１，ＣＨ２，ＣＨ３の順に画像信号が入力されるので、読み取った画像データが画像メモリに正しく記憶できない、あるいは読み取った画像データが正しく出力されないという現象は発生しない。
【００４４】
上記方法の他に、フレキシブルフラットケーブル３９において画像信号の出力がＣＨ１，ＣＨ３，ＣＨ２の順のままで、選択信号ＳＥＬ１，ＳＥＬ２がマルチプレクサ４１の入力を４１１（ＣＨ１），４１３（ＣＨ２），４１２（ＣＨ３）の順に指定して、アナログ・デジタル変換器４２で画像信号をデジタルデータに変換して画像メモリに記憶するようにしてもよい。
【００４５】
以上、本発明の実施の形態を説明したが、これらはあくまで例示にすぎず、本発明はこれらに限定されるものではなく、特許請求の範囲の趣旨を逸脱しない限りにおいて、当業者の知識に基づく種々の変更が可能である。
【図面の簡単な説明】
【００４６】
【図１】複合機の概観図。
【図２】複合機の断面図。
【図３】複合機の制御構成を示すブロック図。
【図４】リニアイメージセンサの概観を示す図。
【図５】リニアイメージセンサの詳細構成を示す図。
【図６】リニアイメージセンサからの信号の流れを示す図。
【図７】本発明の構成を示す図。
【図８】従来技術による構成を示す図。
【符号の説明】
【００４７】
１  複合機
２  センサＩＣチップ
１３  読取部
１４  基板
１５  光源
２１  リニアイメージセンサ
３９  フレキシブルフラットケーブル
【図１】
2007013528.tif 000003
【図２】
2007013528.tif 000004
【図３】
2007013528.tif 000005
【図４】
2007013528.tif 000006
【図５】
2007013528.tif 000007
【図６】
2007013528.tif 000008
【図７】
2007013528.tif 000009
【図８】
2007013528.tif 000010